(57)【要約】【課題】枠体の保持構造を変更することで製品外形を小さくする。【解決手段】本発明の電気光学装置は、電気光学パネル１０と、該電気光学パネルと平面的に重ねて配置され、前記電気光学パネルを照明する照明ユニット３０と、前記電気光学パネル及び前記照明ユニットを位置決め保持する枠体２０とを具備する電気光学装置において、前記枠体は、前記電気光学パネルの外周端面上から前記照明ユニットの外周端面上に亘る幅を有して両外周端面に沿って延在し、両外周端面に共に接着されることで前記電気光学パネルと前記照明ユニットとを相互に位置決め保持する、接着層２５を有することを特徴とする。【選択図】図２
2010061946.tif 000002
【特許請求の範囲】
【請求項１】
電気光学パネルと、該電気光学パネルと平面的に重ねて配置され、前記電気光学パネルを照明する照明ユニットと、前記電気光学パネル及び前記照明ユニットを位置決め保持する枠体とを具備する電気光学装置において、
前記枠体は、前記電気光学パネルの外周端面と、前記照明ユニットの外周端面と、を接着し、前記電気光学パネルと前記照明ユニットとを相互に位置決め保持する、接着層を有することを特徴とする電気光学装置。
【請求項２】
前記接着層は、遮光性を有することを特徴とする請求項１に記載の電気光学装置。
【請求項３】
前記接着層は前記外周端面に接着された保持テープで構成されることを特徴とする請求項１又は請求項２に記載の電気光学装置。
【請求項４】
前記接着層は一体の接着剤で構成されることを特徴とする請求項１又は請求項２に記載の電気光学装置。
【請求項５】
前記電気光学パネル及び前記照明ユニットは平面視で多角形状に構成され、前記枠体は、前記電気光学パネル及び前記照明ユニットの少なくとも一辺に沿って形成された保持枠を有し、該保持枠の両端面上にそれぞれ前記接着層が接着されていることを特徴とする請求項１乃至４のいずれか一項に記載の電気光学装置。
【請求項６】
前記照明ユニットは導光板を含み、前記接着層は前記導光板の外周端面に接着されることを特徴とする請求項１乃至５のいずれか一項に記載の電気光学装置。
【請求項７】
請求項１乃至６のいずれか一項に記載の電気光学装置と、該電気光学装置の制御手段とを具備することを特徴とする電子機器。
【発明の詳細な説明】
【技術分野】
【０００１】
本発明は電気光学装置及び電子機器に係り、特に、電気光学パネルを照明ユニットとともに保持する場合に好適な保持構造に関する。
【背景技術】
【０００２】
一般に、携帯電話機等の電子機器に搭載される電気光学装置、例えば液晶表示装置としては、液晶表示パネルと照明ユニット（いわゆるバックライト）とを合成樹脂等よりなる枠体（フレーム）に保持してなる構造を有するものが知られている。この枠体は、液晶表示パネルを保護する機能を有するとともに、液晶表示パネルを照明する照明ユニットを液晶表示パネルと一体的に保持するという機能を有する。
【０００３】
しかしながら、上記の構造では、液晶表示パネル及び照明ユニットを枠体に収容し、保持する必要があるので、液晶表示パネルの表示領域の外側に設けられる額縁領域が大きくなり、それによって電子機器の小型化が難しくなり、また、電子機器のデザインも制約を受けるという問題点があった。
【０００４】
このため、近年では製品外形を小さくするために枠体の幅が低減されてきているが、それも限界に近づきつつあることから、例えば以下の特許文献１に記載されているように、液晶表示パネルを保持するホルダー４の一部に張り出し部４１を設け、この張り出し部４１をホルダー４を収容するフレーム７に設けられた切り欠き７１に係合させることで、水平方向のストッパーとして用いるようにし、これによって、フレーム及びホルダーの組立時における係合余裕を不要とし、その分外形を小さくするといった提案がなされている。
【特許文献１】特開２００７−３２３０１６号公報
【発明の開示】
【発明が解決しようとする課題】
【０００５】
しかしながら、前述の特許文献１に記載された構造では、液晶表示パネルを保持するホルダーをフレームに収容する際の係合余裕を不要とすることで、ホルダーとフレームからなる枠体の幅を小さくするようにしているので、枠体そのものの幅を大幅に低減することは難しく、製品外形の充分な小型化を望むことができないという問題点がある。
【０００６】
そこで本発明は上記問題点を解決するものであり、その課題は、枠体の保持構造を変更することで、製品外形を大幅に小さくすることのできる電気光学装置を提供することにある。
【課題を解決するための手段】
【０００７】
斯かる実情に鑑み、本発明の電気光学装置は、電気光学パネルと、該電気光学パネルと平面的に重ねて配置され、前記電気光学パネルを照明する照明ユニットと、前記電気光学パネル及び前記照明ユニットを位置決め保持する枠体とを具備する電気光学装置において、前記枠体は、前記電気光学パネルの外周端面上から前記照明ユニットの外周端面上に亘る幅を有して両外周端面に沿って延在し、両外周端面に共に接着されることで前記電気光学パネルと前記照明ユニットとを相互に位置決め保持する、接着層を有することを特徴とする。
【０００８】
この発明によれば、電気光学パネルの外周端面と照明ユニットの外周端面に共に接着された、両外周端面上に亘る幅を有する接着層を有することにより、電気光学パネルと照明ユニットが厚み方向において相互に位置決め保持される。この場合、接着層は外周端面に密着するとともに厚みも薄くて足りることから、外側への張り出し量を低減することができるため、電気光学装置の製品外形をコンパクトに構成できる。
【０００９】
この場合に、上記接着層は遮光性を有することが好ましい。これによれば、上記効果に加えて周囲への光漏れが防止される。
【００１０】
本発明の一の態様においては、前記接着層は前記外周端面に接着された保持テープで構成される。このように接着層が保持テープで構成されることで、保持テープを外周端面に貼着するだけで容易に枠体を構成できる。
【００１１】
本発明の他の態様においては、前記接着層は一体の接着剤で構成される。このように一体の接着剤で構成されることで、接着剤を外周端面上に塗布したり、型枠内に流し込むだけで枠体を容易に形成することができる。
【００１２】
本発明の別の態様においては、前記電気光学パネル及び前記照明ユニットは平面視で多角形状に構成され、前記枠体は、前記電気光学パネル及び前記照明ユニットの少なくとも一辺に沿って形成された保持枠を有し、該保持枠の両端面上にそれぞれ前記接着層が接着されている。このように保持枠と接着層とを組み合わせることで枠体の剛性を高めることができる。特に、保持枠で電気光学パネルと照明ユニットの少なくとも一方を位置決めすることで位置決め精度を高めることも可能である。もちろん、電気光学パネルと照明ユニットの双方を保持枠で位置決めすることでさらに剛性及び位置決め精度を向上できる。
【００１３】
本発明の異なる態様においては、前記照明ユニットは光源及び導光板を有し、前記接着層は前記導光板の外周端面に接着される。照明ユニットの導光板の外周端面に上記接着層が接着されることにより、照明ユニットの外形を最小限とすることができるとともに、導光板は反射シートや光学シートに比べて厚く構成されるので、接着層との接着面積を十分に確保できることから、枠体の剛性を高めることができる。
【００１４】
次に、本発明の電子機器は、上記のいずれかに記載の電気光学装置と、該電気光学装置の制御手段とを具備することを特徴とする。この電子機器としては何ら限定されないが、特に、電気光学装置の外形を小さく構成できる点で、携帯電話機、携帯型電子時計、携帯型情報端末等に用いることが効果的である。
【発明を実施するための最良の形態】
【００１５】
次に、添付図面を参照して本発明の実施形態について詳細に説明する。
【００１６】
［第１実施形態］
図１は本発明に係る電気光学装置の第１実施形態の平面図、図２（ａ）は第１実施形態の概略縦断面図、図２（ｂ）は図２（ａ）中に示すＢ領域を拡大して示す拡大部分縦断面図、図３は第１実施形態の照明ユニットの収容部分の横断面を示す横断面図、図４は保持テープの一部を拡大して示す横断面図である。
【００１７】
本実施形態の電気光学装置は、液晶表示パネル等で構成される電気光学パネル１０と、この電気光学パネル１０と平面的に重ねて配置され、図示例の場合には電気光学パネル１０の視認側とは反対側の背後に配置される照明ユニット３０と、電気光学パネル１０及び照明ユニット３０を位置決め保持する枠体２０とを具備している。
【００１８】
図１及び図２に示すように、電気光学パネル１０は、ガラス等よりなる透明な基板１１と１２が図示しないシール材等により貼り合わされ、基板１１と１２の間に図示しない液晶等の電気光学物質が封入されてなり、外形が矩形状に構成される。この電気光学パネル１０には、パネル外周部を除く矩形の領域として表示領域１０Ａが形成されている。そして、この表示領域１０Ａの外周側には遮光膜１７が形成されている。図示例では液晶表示パネルの例を示しているので、基板１１と１２の外面上にはそれぞれ偏光板１３，１４が貼着される。基板１１には、基板１２の外形より外側へ張り出した基板張出部１１Ｔが設けられ、この基板張出部１１Ｔ上には表示領域１０Ａの内部から配線が引き出されるとともに、半導体ＩＣチップ等よりなる駆動回路１５が実装されている。また、この基板張出部１１Ｔ上にはフレキシブル配線基板（ＦＰＣ）等よりなる配線基板１６が実装され、この配線基板１６は基板張出部１１Ｔ上から厚み方向に引き出されて照明ユニット３０の背後（電気光学パネル１０とは反対側）に延在している。
【００１９】
電気光学パネル１０の外周端面１０ｐは上記基板１１及び１２の端面で構成され、上記基板張出部１１Ｔの外縁で構成される辺の端面である外周端面部１０ｐ１と、これに隣接する辺の端面である外周端面部１０ｐ２、１０ｐ４と、外周端面部１０ｐ１と対向する辺の端面である外周端面部１０ｐ３とを有する。
【００２０】
照明ユニット３０は、ＬＥＤ等よりなる光源３１と、該光源３１の発光面と対向する端面で構成される光入射面３２ａ及びこの光入射面と交差（直交）し、上記電気光学パネル１０に向いた表面で構成される光出射面３２ｂとを備えた平板状の導光板３２と、この導光板３２の背後（電気光学パネル１０とは反対側）に配置される反射シート３３と、上記光出射面３２ｂと電気光学パネル１０との間に配置される１又は複数の光学シート３４（例えば、光拡散シート、プリズムシートなど）とを有する。
【００２１】
図３に示すように、照明ユニット３０も導光板３２の光出射面３２ｂの平面形状と一致する平面視矩形状の照明範囲を有し、その外周端面は導光板３２の外周端面３２によって構成される。導光板３２の外周端面３２は平面視矩形状の導光板３２の四つの外周端面部３２ｐ１、３２ｐ２、３２ｐ３、３２ｐ４よりなり、外周端面部３２ｐ１は上記電気光学パネル１０の外周端面部１０ｐ１に対応する辺の端面である上記光入射面３２ａで構成される。
【００２２】
枠体２０は、上記電気光学パネル１０のうち上記基板張出部１１Ｔの外縁である辺の外周端面部１０ｐ１に沿って形成された保持枠２１と、この保持枠２１の両端面２１ｓ、２１ｔに接着された端部を備えた遮光性の保持テープ２５とを有する。
【００２３】
保持枠２１は特に限定されないが白色ポリエチレン等の合成樹脂よりなることが好ましい。この保持枠２１は、電気光学パネル１０を背後（視認側とは反対側）から支持する平坦な支持面２２を上方（視認側）に向けて露出するように有するとともに、この支持面２２の背後（視認側とは反対側）には照明ユニット３０側（内側）から見て凹状に構成された光源３１及び導光板３２を位置決めするための収容凹部２３が形成される。さらに、保持枠２１の背面側（視認側とは反対側）には電気光学パネル１０の外周端面部１０ｐ１から外周端面部１０ｐ３へ向けて伸びる背面支持部２４が設けられる。
【００２４】
本発明の接着層に相当する保持テープ２５は、少なくとも電気光学パネル１０の外周端面１０ｐから照明ユニット３０の外周端面である導光板３２の外周端面３２ｐに達する幅を有する。また、特に製造工程において外周端面１０ｐ及び外周端面３２ｐに貼着することを考慮すると、貼着作業を容易に行うためには樹脂素材よりなる可撓性のテープであることが好ましい。保持テープ２５は、図４に示すように、白色フィルム２５ａと黒色フィルム２５ｂが積層されることで高い遮光性を有するように構成される。このように構成すると、白色フィルム２５ａにより保持テープ２５の内面では光が反射されるので導光板３２等から出射した光を再利用することができるとともに、黒色フィルム２５ｂにより外部への光漏れを有効に遮断できる。もっとも、保持テープ２５の遮光性は上記の積層構造に限らず、アルミニウム箔などといった光反射性の素材で構成されることによって担保されていてもよい。
【００２５】
なお、図２（ｂ）に示すように、電気光学パネル１０の外周部の底面１０ｄには環状に構成された遮光テープ２６が貼着されている。これは、照明ユニット３０から出射される光が電気光学パネル１０の外周に設けられた遮光膜１７の外側にある透光領域を通過して視認側へ漏れることを防止するものである。
【００２６】
図４に示すように、保持テープ２５は内面上に粘着層２５ｓが設けられる接着テープであることが好ましい。ただし、保持テープ２５自体が接着テープとして構成されていなくとも、保持テープ２５を接着剤を介して上記外周端面１０ｐ及び３２ｐに接着することで同一の構成とすることが可能である。
【００２７】
この遮光性の保持テープ２５は、一方の端部が保持枠２１の一方の端面２１ｓに貼着され、そのまま電気光学パネル１０及び導光板３２の外周に沿って、外周端面部１０ｐ２及び３２ｐ２、外周端面部１０ｐ３及び３２ｐ３、並びに、外周端面部１０ｐ４及び３２ｐ４に接着された後に、他方の端部が保持枠２１の他方の端面２１ｔに接着されている。
【００２８】
上記のように構成された枠体２０においては、保持枠２１に外周端面部１０ｐ１が位置決めされた電気光学パネル１０の残りの外周端面部１０ｐ２、１０ｐ３、１０ｐ４と、同様に保持枠２１に外周端面部３２ｐ１（光入射面３２ａ）が位置決めされた導光板３２の残りの外周端面部３２ｐ２、３２ｐ３、３２ｐ４とが共通の保持テープ２５によって厚み方向及び外周に沿った方向に接着固定される。この場合、反射シート３３もまた保持テープ２５によって接着固定されるが、反射シート３３の端面の接着面積が小さいことで保持効果が弱い場合には、保持テープ２５を導光板３２に接着し、反射シート３３は導光板３２の背面（上記光出射面３２ｂとは反対側の裏面）に貼着しておいてもよい。
【００２９】
本実施形態では、上記のように電気光学パネル１０及び照明ユニット３０の外周端面が保持テープ２５に共に接着され、これにより相互に位置決め保持されているので、特に外周端面部１０ｐ２及び３２ｐ２、外周端面部１０ｐ３及び３２ｐ３、並びに、外周端面部１０ｐ４及び３２ｐ４の側において表示領域１０Ａより外側に張り出す幅を縮小することができることから、電気光学装置としての製品の外形寸法を縮小することができる。この場合、遮光性の保持テープ２５によって電気光学パネル１０と照明ユニット３０が確実に保持固定されると同時に、両者間の遮光（光漏れの防止）も確実に行われる。
【００３０】
保持テープ２５の厚みは、素材や上記の積層構造等によって種々となるが、合成樹脂素材を用いることによって粘着層２５ｓ若しくは接着剤の厚みを含めても１μｍ〜１ｍｍ、特に５〜５００μｍ程度、より望ましくは１０〜１００μｍ程度の範囲に設定することができる。
【００３１】
したがって、本実施形態では保持テープ２５を保持枠２１に対向している電気光学パネル１０及び照明ユニット３０の外周端面１０ｐ及び３２ｐに接着しているので、従来のように電気光学パネル１０及び導光板３２をほぼ全周に亘って取り囲む文字通り枠状の枠体を用いる場合に比べると、枠の外周への張り出しが大幅に低減される。しかも、保持テープ２５は電気光学パネル１０及び照明ユニット３０の外周端面１０ｐと３２ｐを共に接着する幅を有するため、薄く可撓性を有する素材で構成しても電気光学装置を厚み方向に相互に十分な剛性を持って保持固定することができることから、枠体２０としての保持剛性を確保することができ、しかも保持テープ２５が遮光性を有することで装置の遮光機能をも担保できる。
【００３２】
また、本実施形態では電気光学パネル１０及び照明ユニット３０の一側の外周端面部１０ｐ１及び３２ｐ１を保持テープ２５とは別の保持枠２１で位置決め保持するようにしているため、枠体２０全体の剛性をさらに高めることができるとともに、この保持枠２１を用いることにより、電気光学パネル１０と照明ユニット３０の相互の位置決め精度も向上でき、光源３１の位置決め固定を行う場合や電気光学装置を電子機器の内部へ固定する際にも支障は生じない。
【００３３】
この場合、保持枠２１には背面支持部２４が設けられ、この背面支持部２４は背後より照明ユニット３０を支持するので、枠体２０全体の剛性をさらに高めることができる。具体的には、背面支持部２４によって支持される照明ユニット３０は保持テープ２５を介して電気光学パネル１０を間接的に支持するので、背面支持部２４を設けることで電気光学パネル１０及び照明装置３０の特に厚み方向の支持剛性が大幅に増強される。なお、保持テープ２５を背面側支持部２４の外周端面にも接着させることで、さらに枠体２０の剛性及び位置決め精度を高めることができる。
【００３４】
［第２実施形態］
次に、図５を参照して本発明に係る第２実施形態について説明する。図５は第２実施形態の照明ユニット３０′の収容部分の横断面を示す横断面図である。なお、本実施形態において、先の実施形態で説明した部分と同一部分には同一符号を付し、それらの説明は省略する。
【００３５】
照明ユニット３０′は、その照明範囲が電気光学パネル１０の表示領域１０Ａと適正に重なり配置されていればよく、通常は電気光学パネル１０に対する平面方向の位置決め精度をミクロン単位まで高くする必要性は少ない。逆に、電気光学パネル１０の主要素材（例えばガラス）に対して照明ユニット３０の主要素材は合成樹脂（導光板３２は一般的にアクリル樹脂、ポリカーボネート樹脂等で構成される。）であるため、熱膨張によってある程度の位置ずれが生ずる可能性があるために当該位置ずれを逃がす必要性があり、また、電子機器の内部等に設置したときに受ける外部応力を或る程度逃がす必要性もある。
【００３６】
本実施形態では、上述の必要性に鑑みて、照明ユニット３０′の導光板３２′の外周端面３２ｐ′、特に保持テープ２５に接着される外周端面部３２ｐ２′、３２ｐ３′、３２ｐ４′との接着面積を低減し、上記の熱膨張や外部応力に起因する位置ずれを許容する構成としている。
【００３７】
すなわち、図５に示すように、外周端面３２ｐ′（外周端面部３２ｐ２′、３２ｐ３′、３２ｐ４′）に突起３２ｔを形成し、この突起３２ｔが保持テープ２５に接着されるが、突起３２ｔ以外の部分は基本的に接着されない構成としている。この突起３２ｔの先端形状は任意であるが、図示例の場合、突起３２ｔは先端が外周に沿った或る程度の長さを有する台状に構成される。このように構成すると、突起３２ｔの先端のみで保持テープ２５との接着が行われるので、熱膨張や外部応力に起因する位置ずれを或る程度逃がすことができるため、当該位置ずれによって保持テープ２５が大きく歪み、電気光学パネル１０に対する保持固定状態が影響を受けるといったことを防止できる。
【００３８】
この場合、図示例のように、突起３２ｔは全体のバランスをとるために複数設けることが好ましく、しかも、複数の突起３２ｔが外周端面３２ｐ′に沿って分散配置されていることが好ましい。
【００３９】
なお、上記のような導光板３２′の外周端面３２ｐ′の構造は、反射シート３３や光学シート３４にも同様に適用できる。例えば、図５には光学シート３４′の構成例をも図示してある。光学シート３４′の場合にも、外周縁３４ｐ′に突起３４ｔを上記と同様に設けることで、熱膨張や外部応力に起因する位置ずれを逃がすことができる。特に、反射シート３３や光学シート３４は数十ミクロン程度と極めて薄いので、平面方向の位置ずれを逃がすことができないと湾曲する可能性もあることから、当該構造はきわめて重要である。ただし、反射シート３３や光学シート３４については保持テープ２５に接着させずに、導光板３２に貼着したり、完全にフリー状態として平面方向に移動可能に配置したりしてもよい。
【００４０】
［第３実施形態］
次に、図６を参照して本発明に係る第３実施形態について説明する。図６（ａ）は第３実施形態の保持テープ２５′の部分平面図、図６（ｂ）は保持テープ２５′の使用態様を示す部分斜視図、図６（ｃ）は別の保持テープ２５″の部分平面図である。なお、本実施形態において、先の実施形態で説明した部分と同一部分には同一符号を付し、それらの説明は省略する。
【００４１】
この実施形態では、図６（ａ）に示すように保持テープ２５′の幅方向の側縁に幅方向に突出する突片２５ｔを形成し、図６（ｂ）に示すように保持テープ２５′を電気光学パネル１０や照明ユニット３０の外周端面に接着したとき、突片２５ｔを電気光学パネル１０の視認側の表面、或いは、照明ユニット３０の視認側とは反対側の裏面上に折り返し、これらの表面或いは裏面上に接着させる。このように構成することにより、電気光学装置の厚み方向のみが接着されていた先の実施形態よりも枠体２０全体の剛性を高めることができる。ここで、突片２５ｔは保持テープ２５′が接着される外周端面に沿って複数分散して設けることがさらに望ましい。
【００４２】
なお、上記の保持テープ２５′は一方の側縁にのみ突片２５ｔを形成したが、図６（ｃ）に示すように幅方向両側の両側縁にそれぞれ突片２５ｔを形成した保持テープ２５″を用いて、これらの突片２５ｔを電気光学パネル１０の表面及び照明ユニット３０の裏面の双方にそれぞれ折り返して接着することで、枠体２０の剛性をさらに高めることが可能である。
【００４３】
［第４実施形態］
次に、図７を参照して本発明に係る第４実施形態について説明する。図７は電気光学装置を製造する際に電気光学パネル１０及び照明ユニット３０を型枠５０の内部に収容した様子を示す横断面図である。なお、本実施形態において、先の実施形態で説明した部分と同一部分には同一符号を付し、それらの説明は省略する。
【００４４】
本実施形態では、第１実施形態と同様の電気光学パネル１０及び照明ユニット３０を保持枠２１により位置決めした状態で、全体を型枠５０の内部に収容する。このとき、電気光学パネル１０及び照明ユニット３０の外周端面と型枠５０の内面５１との間には間隙５２が形成され、この間隙５２は基本的に第１実施形態の保持テープ２５と同じ空間を占有するように構成される。
【００４５】
図７に示す状態で、電気光学パネル１０及び照明ユニット３０並びに保持枠２１と型枠５０の内面５１との間に遮光性の未硬化の接着剤を流し込み、その後、当該接着剤を硬化させることにより、第１実施形態の保持テープ２５と同様に本発明の接着層を構成する接着剤層５５が形成され、この接着剤層５５は保持テープ２５と同様に電気光学パネル１０及び照明ユニット３０並びに保持枠２１と接着される。
【００４６】
ここで、上記接着剤は、カーボンフィラー等の微細な充填材を接着基材中に分散させることによって遮光性を備えたものとされる。この場合の接着剤としては、熱硬化性、揮発硬化性、２液硬化性等の各種の接着剤を用いることができるが、充填材により光が入射しにくいため、光硬化性（紫外線硬化性）の接着剤でないことが好ましい。例えば、変性シリコン系の接着剤を用いることができる。
【００４７】
本実施形態でも、製造工程は変わるものの、結果的には第１実施形態と同様の構成が得られるので、上記と同様の作用効果を得ることができる。
【００４８】
なお、本実施形態は上記保持テープの代わりに一体の接着剤で構成される接着剤層を設けるものであるが、その形成方法は上記のように型枠５０を用いる方法に限らず、例えば、電気光学パネル１０の外周端面上から照明ユニット３０の外周端面上に至までの範囲に接着剤を塗布する方法であっても可能である。このような接着剤の塗布は、ディスペンサ、スプレーガンなどを用いて行うことができる。
【００４９】
［第５実施形態］
次に、図８を参照して本発明に係る第５実施形態について説明する。図８はさらに別の電気光学装置の横断面図である。なお、本実施形態において、先の実施形態で説明した部分と同一部分には同一符号を付し、それらの説明は省略する。
【００５０】
本実施形態では、保持枠２１の外周端面並びに電気光学パネル１０及び照明ユニット３０の外周端面の全周に亘り取り囲むように保持テープ２５が接着されている点で先の各実施形態とは異なる。このように構成すると、保持枠２１と保持テープ２５の接着面積が増大するので、枠体２０の剛性をさらに高めることができる。
【００５１】
［第６実施形態］
次に、図９を参照して本発明に係る第６実施形態について説明する。図９は異なる電気光学装置の平面図である。なお、本実施形態において、先の実施形態で説明した部分と同一部分には同一符号を付し、それらの説明は省略する。
【００５２】
本実施形態では、電気光学パネル１０及び照明ユニット３０の一側の辺に沿って形成された第１保持枠２１Ｘと、他側の辺（第１保持枠２１Ｘが形成された辺と対向する辺）に沿って形成された第２保持枠２１Ｙの二つの枠部材を有する点で先の実施形態とは異なる。
【００５３】
第１保持枠２１Ｘは基本的に先の各実施形態の保持枠２１と同様に電気光学パネル１０の基板張出部１１Ｔ及び照明ユニット３０の光源３１側に形成され、電気光学パネル１０及び照明ユニット３０（光源３１及び導光板３２）を位置決めしている。また、第２保持枠２１Ｙは保持枠２１Ｘとは反対側から電気光学パネル１０及び照明ユニット３０（導光板３２）を位置決めしている。例えば、第１保持枠２１Ｘ及び第２保持枠２１Ｙは、それぞれ電気光学パネル１０の外周部を背面側（視認側とは反対側）から支持する支持面２２Ｘ、２２Ｙを備えている。
【００５４】
また、保持テープ２５は、第１保持枠２１Ｘの一方の端面２１ｓと第２保持枠２１Ｙの一方の端面２１ｕに共に接着され、その間に存在する電気光学パネル１０の外周端面部１０ｐ２及び導光板３２の外周端面部３２ｐ２（図示せず）に接着される。また、別の保持テープ２５が保持枠２１Ｘの他方の端面２１ｔと第２保持枠２１Ｙの他方の端面２１ｖに共に接着され、その間に存在する電気光学パネル１０の外周端面部１０ｐ４及び導光板３２の外周端面部３２ｐ４（図示せず）に接着される。これらの保持テープ２５は第５実施形態に示すように一体の保持テープとして構成されていてもよく、別体の２つの保持テープとして構成されていてもよい。
【００５５】
このように構成することによって、枠体２０′の保持剛性をさらに高めることができ、電気光学パネル１０及び照明ユニット３０の位置決め精度も向上できる。また、保持テープ２５は電気光学パネル１０及び照明ユニット３０の対向する二辺を接着しているので、当該二辺の方向の外側への張り出し量を低減することができる。
【００５６】
［第７実施形態］
次に、図１０を参照して本発明に係る第７実施形態について説明する。図１０はさらに異なる電気光学装置の平面図である。なお、本実施形態において、先の実施形態で説明した部分と同一部分には同一符号を付し、それらの説明は省略する。
【００５７】
本実施形態では、保持枠２１″が第１保持部２１Ｘ′と第２保持部２１Ｙ′とを有し、第１保持部２１Ｘ′は先の各実施形態と同様に基板張出部１１Ｔ側の辺に沿って配置され、第２保持部２１Ｙ′は第１保持部２１Ｘ′の配置される辺と隣接する辺に沿って配置される。したがって、保持枠２１″は全体としてＬ字状の平面形状を有している。
【００５８】
本実施形態の電気光学パネル１０′は、第１保持部２１Ｘ′が配置される側に設けられた基板張出部１１Ｔと隣接し、第２保持部２１Ｙ′が配置される側に設けられた基板張出部１１Ｔ′を有し、これらの基板張出部１１Ｔ、１１Ｔ′はＬ字状に構成される。基板張出部１１Ｔ上には上記と同様の駆動回路１５Ｘが実装され、基板張出部１１Ｔ′上には別の駆動回路１５Ｙが実装される。
【００５９】
この実施形態においても、第１保持部２１Ｘ′に支持面２２Ｘ′が設けられ、第２保持部２１Ｙ′に支持面２２Ｙ′が設けられている。そして、これらのＬ字状に構成された支持面２２Ｘ′、２２Ｙ′は電気光学パネル１０′の外周部の隣接する辺に沿った部分を背後から支持する。
【００６０】
本実施形態でも、枠体２０″の剛性を向上できるとともに電気光学パネル１０′及び照明ユニット３０（図示せず）の位置決め精度も高めることができる。また、保持枠２１″が配置される側の辺以外の他の二辺の側においては外側への張り出し量を低減できる。
【００６１】
第６実施形態及び第７実施形態では電気光学パネル及び照明ユニットの外周のうち二辺に保持枠を配置し、残りの二辺を保持テープ２５に接着しているが、例えば、外周の三辺に保持枠を配置し、残りの一辺を保持テープ２５に接着しても構わない。
【００６２】
また、上記の枠体２０には保持枠２１が設けられ、この保持枠２１が電気光学パネル１０と照明ユニット３０の一方の端部を相互に位置決め保持しているが、保持テープ２５を電気光学パネル１０と照明ユニット３０の全周に亘り接着することで、保持枠２１を用いることなしに電気光学パネル１０と照明ユニット３０を相互に位置決め保持するようにしてもよい。ただし、この場合、照明ユニット３０には光源３１と導光板３２等を相互に位置決めするため等に用いられる別の部材を設ける必要がある。
【００６３】
［電子機器］
最後に、以上の各実施形態で説明したように構成された電気光学装置１００を搭載した電子機器１０００について図１１及び図１２を参照して説明する。図１１は電子機器１０００の外観を示す斜視図である。
【００６４】
電子機器１０００は、本体部１００１と表示部１００２とを有し、本体部１００１には操作ボタン等の操作部が設けられるとともに内部に制御装置等が組み込まれる。また、表示部１００２には表示画面１００３が形成され、表示部１００２内に配置される上記電気光学装置１００によって表示画面１００３において所定の表示画像が形成されるようになっている。なお、図示例の電子機器１０００は携帯電話機を構成する例を示すものであるが、本発明の電子機器１０００はこれに限らず、携帯型情報端末、電子時計、その他の各種の機器に適用できる。
【００６５】
図１２は電子機器１０００の表示制御系の構成を示す概略ブロック図である。電子機器１０００には、表示情報出力源２９１と、表示情報処理回路２９２と、電源回路２９３と、タイミングジェネレータ２９４と、照明ユニット３０への電力供給を行う光源制御回路２９５とを含む表示制御回路２９０を有する。また、電気光学装置１００には、上述の構成を有する電気光学パネル１０と、この電気光学パネル１０を駆動する駆動回路１５（１５Ｘ，１５Ｙ）と、バックライトである上記の照明装置３０とが設けられている。ただし、駆動回路１５は、上記のような態様の他に、電気光学パネル１０の基板表面上に形成された電子部品や回路パターン、或いは、電気光学パネル１０に導電接続された回路基板に実装されたＩＣチップ若しくは回路パターンなどによっても構成することができる。
【００６６】
表示情報出力源２９１は、ＲＯＭ（Read Only Memory）やＲＡＭ（Random Access Memory）等からなるメモリと、磁気記録ディスクや光記録ディスク等からなるストレージユニットと、デジタル画像信号を同調出力する同調回路とを備え、タイミングジェネレータ２９４によって生成された各種のクロック信号に基づいて、所定フォーマットの画像信号等の形で表示情報を表示情報処理回路２９２に供給するように構成されている。
【００６７】
表示情報処理回路２９２は、シリアル−パラレル変換回路、増幅・反転回路、ローテーション回路、ガンマ補正回路、クランプ回路等の周知の各種回路を備え、入力した表示情報の処理を実行して、その画像情報をクロック信号ＣＬＫと共に駆動回路１５へ供給する。駆動回路１５は、走査線駆動回路、信号線駆動回路及び検査回路を含む。また、電源回路２９３は、上述の各構成要素にそれぞれ所定の電圧を供給する。
【００６８】
光源制御回路２９５は、電源回路２９３から供給される電圧に基づいて照明装置３０の光源に電力を供給し、所定の制御信号に基づいて光源の点灯の有無及びその輝度等を制御するようになっている。
【００６９】
尚、本発明の電気光学装置及び電子機器は、上述の図示例にのみ限定されるものではなく、本発明の要旨を逸脱しない範囲内において種々変更を加え得ることは勿論である。例えば、上記各実施形態の特徴点は可能な限り相互に適宜に組み合わせて構成することができる。したがって、一例としては、第１実施形態乃至第３実施形態の構成及びその変形例をそれぞれ第５実施形態乃至第７実施形態の構成及び変形例に適用することが可能であり、また、第４実施形態の接着剤層を他の実施形態の保持テープの代わりに用いることも可能である。
【００７０】
また、上記実施形態では、照明ユニット３０は電気光学パネル１０の背後に配置されるバックライトとして用いられるが、照明ユニットとして電気光学パネル１０の視認側に配置されるフロントライトを構成するようにしてもよい。
【図面の簡単な説明】
【００７１】
【図１】第１実施形態の電気光学装置の平面図。
【図２】第１実施形態の縦断面図（ａ）及び拡大部分縦断面図（ｂ）。
【図３】第１実施形態の横断面図。
【図４】保持テープの拡大部分横断面図。
【図５】第２実施形態の横断面図。
【図６】第３実施形態の保持テープの拡大部分平面図（ａ）、第３実施形態の概略部分斜視図（ｂ）及び変形例の保持テープの拡大部分平面図（ｃ）。
【図７】第４実施形態の製法を示す横断面図。
【図８】第５実施形態の横断面図。
【図９】第６実施形態の平面図。
【図１０】第７実施形態の平面図。
【図１１】電子機器の概略斜視図。
【図１２】電子機器の表示制御系の概略ブロック図。
【符号の説明】
【００７２】
１０…電気光学パネル、１０ｐ…外周端面、１０ｐ１〜１０ｐ４…外周端面部、２０…枠体、２１…保持枠、２２…支持面、２５…保持テープ、２５ｔ…突片、３０…照明ユニット、３１…光源、３２…導光板、３２ａ…光入射面、３２ｂ…光出射面、３２ｐ…外周端面、３２ｐ１〜３２ｐ４…外周端面部、１０００…電子機器
【図１】
2010061946.tif 000003
【図２】
2010061946.tif 000004
【図３】
2010061946.tif 000005
【図４】
2010061946.tif 000006
【図５】
2010061946.tif 000007
【図６】
2010061946.tif 000008
【図７】
2010061946.tif 000009
【図８】
2010061946.tif 000010
【図９】
2010061946.tif 000011
【図１０】
2010061946.tif 000012
【図１１】
2010061946.tif 000013
【図１２】
2010061946.tif 000014